【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
特にセラミック焼結部品の製造のための、顆粒を含む粉体であって、乾燥物質を基準として、重量による次の化学組成：
−  １００％となるまでの残分の、セラミック材料および、任意的に、前記セラミック材料用の安定剤；
−  ２５℃以下のガラス転移温度を有する少なくとも１．０％の第１バインダー；
−  ２５℃超のガラス転移温度を有する０〜４．０％の追加のバインダー；
−  第１バインダーとは異なる、および追加のバインダーとは異なる０〜４．０％の一時添加剤であって、前記第１バインダー、前記追加のバインダーおよび前記一時添加剤の合計含有率が９．０％未満である一時添加剤；
−  前記セラミック材料を焼結するための０〜１５％の添加剤；
−  ２．０％未満の不純物；
を有し、
前記粉体の中央粒径Ｄ５０が８０〜１３０μｍであり、パーセンタイル値Ｄ９９．５が５００μｍ未満であり、前記顆粒の相対密度が３０％〜６０％である前記粉体。
【請求項２】
前記セラミック材料が、窒化物、炭化物、酸化物、オキシカーボ窒化物およびそれらの混合物で構成される群から選択される、請求項１に記載の粉体。
【請求項３】
前記セラミック材料が、窒化アルミニウム、窒化ホウ素、窒化ケイ素、窒化チタン、炭化チタン、炭化ケイ素、炭化タングステン、炭化ジルコニウム、アルミナ、酸化イットリウム、酸化セリウム、希土類でドープされた酸化セリウム、ジルコニアでドープされた酸化セリウム、スピネルＭｇＡｌ２Ｏ４、ガーネット、式Ａ’Ｂ’Ｏ３のペロブスカイト、長石、コーディエライト、およびそれらの混合物で構成される群から選択される、請求項１または２に記載の粉体。
【請求項４】
−  前記希土類でドープされた酸化セリウムについては、前記希土類が、Ｌａ２Ｏ３、Ｐｒ２Ｏ３、Ｓｍ２Ｏ３、Ｇｄ２Ｏ３およびそれらの混合物で構成される群から選択され、および／または
−  前記構造Ａ’Ｂ’Ｏ３のペロブスカイトについては、前記元素Ａ’が、元素Ｓｒ、Ｃａ、Ｐｂ、Ｂａおよびそれらの混合物で構成される群から選択され；Ｂ’が、元素Ｔｉ、Ｚｒおよびそれらの混合物で構成される群から選択され、および／または
−  前記長石が、Ｘが周期表の２族の元素およびそれらの混合物で構成される群から選択される、式ＸＯ・Ａｌ２Ｏ３・２ＳｉＯ２の長石、および／またはＸ’が周期表の１族の元素およびそれらの混合物で構成される群から選択される、式Ｘ’２Ｏ・Ａｌ２Ｏ３・２ＳｉＯ２の長石、および／またはＺが希土類で構成される群から選択される、式Ｚ２Ｏ３・Ａｌ２Ｏ３・２ＳｉＯ２の長石で構成される群から選択され、および／または
−  前記コーディエライトが、Ｘが周期表の２族の元素およびそれらの混合物で構成される群から選択される、式ＸＯ・Ａｌ２Ｏ３・（５／２）ＳｉＯ２のコーディエライト、Ｘ’が周期表の１族の元素およびそれらの混合物で構成される群から選択される、式Ｘ’２Ｏ・Ａｌ２Ｏ３・５／２ＳｉＯ２のコーディエライト、ならびにＺが希土類およびそれらの混合物で構成される群から選択される、式Ｚ２Ｏ３・Ａｌ２Ｏ３・（５／２）ＳｉＯ２のコーディエライトで構成される群から選択される、
請求項３に記載の粉体。
【請求項５】
−  前記セラミック材料がアルミナＡｌ２Ｏ３であり、
−  第１バインダーの含有率が、前記乾燥物質を基準として重量百分率として２．５％〜４％であり、
−  不純物の含有率が、前記乾燥物質を基準として重量百分率として、１％未満であり、
−  残留含水率が、湿潤粉体を基準として重量百分率として０．２％〜１％である；または
−  前記セラミック材料がアルミナＡｌ２Ｏ３であり、
−  焼結添加剤の含有率が０．０２〜１５％であり、前記焼結添加剤が、元素Ｓｉの酸化物、希土類の酸化物、元素周期表の２族、３族および４族の元素の酸化物、およびそれらの混合物で構成される群から選択され、
−  第１バインダーの含有率が、前記乾燥物質を基準として重量百分率として２．５％〜４％であり、
−  不純物の含有率が、前記乾燥物質を基準として重量百分率として１％未満であり、
−  残留含水率が、湿潤粉体を基準として重量百分率として０．２％〜１％である；または
−  前記セラミック材料が炭化ケイ素ＳｉＣであり、
−  第１バインダーの含有率が、前記乾燥物質を基準として重量百分率として２．５％〜４％であり、
−  不純物の含有率が、前記乾燥物質を基準として重量百分率として１％未満であり、
−  残留含水率が、前記湿潤粉体を基準として重量百分率として０．２％〜１％である；または
−  前記セラミック材料が炭化ケイ素ＳｉＣであり、
−  焼結添加剤の含有率が０．５〜５％であり、前記焼結添加剤が、元素Ｓｉ、ＡｌおよびＢの酸化物、希土類の酸化物、元素周期表の２、３および４族の元素の酸化物、およびそれらの混合物；元素Ｓｉ、ＡｌおよびＢの窒化物、希土類の窒化物、元素周期表の２、３および４族の元素の窒化物、およびそれらの混合物；ならびに元素Ｓｉ、ＡｌおよびＢの炭化物、希土類の炭化物、元素周期表の２、３および４族の元素の炭化物、およびそれらの混合物で構成される群から選択され、
−  第１バインダーの含有率が、前記乾燥物質を基準として重量百分率として２．５％〜４％であり、
−  不純物の含有率が、前記乾燥物質を基準として重量百分率として１％未満であり、
−  残留含水率が、湿潤粉体を基準として重量百分率として０．２％〜１％である；または
−  前記セラミック材料が窒化ケイ素Ｓｉ３Ｎ４であり、
−  第１バインダーの含有率が、前記乾燥物質を基準として重量百分率として２．５％〜４％であり、
−  不純物の含有率が、前記乾燥物質を基準として重量百分率として１％未満であり、
−  残留含水率が、湿潤粉体を基準として重量百分率として０．２％〜１％である；または
−  前記セラミック材料が窒化ケイ素Ｓｉ３Ｎ４であり、
−  焼結添加剤の含有率が０．５〜１５％であり、前記焼結添加剤が、希土類の酸化物、元素周期表の２、３および４族の元素の酸化物、およびそれらの混合物；ならびに希土類の窒化物、元素周期表の２、３および４族の元素の窒化物、およびそれらの混合物で構成される群から選択され、
−  第１バインダーの含有率が、前記乾燥物質を基準として重量百分率として２．５％〜４％であり、
−  不純物の含有率が、前記乾燥物質を基準として重量百分率として１％未満であり、
−  残留含水率が、湿潤粉体を基準として重量百分率として０．２％〜１％である、
請求項１〜４のいずれか一項に記載の粉体。
【請求項６】
−  追加のバインダーの含有率が、前記乾燥物質を基準として重量百分率として０．５％〜１％である；または
−  追加のバインダーの含有率が、前記乾燥物質を基準として重量百分率として０．５％〜１％であり、かつ一時添加剤の含有率が０．５％〜１％である、
請求項１〜５のいずれか一項に記載の粉体。
【請求項７】
前記顆粒が、中央粒径Ｄ５０が１μｍ未満であるセラミック材料の粒子を含む、請求項１〜６のいずれか一項に記載の粉体。
【請求項８】
前記第１バインダーが−３０℃超かつ１５℃未満のガラス転移温度を有する、請求項１〜７のいずれか一項に記載の粉体。
【請求項９】
前記第１バインダーが、非晶質有機ポリマー、ポリアクリル樹脂、純粋なアクリレートをベースとするポリマー、アクリレートおよびスチレンをベースとするコポリマー、ならびにそれらのブレンドから選択される、請求項１〜８のいずれか一項に記載の粉体。
【請求項１０】
前記第１バインダーおよび／または前記追加のバインダーが、無機元素を含まないポリマーから選択される、請求項１〜９のいずれか一項に記載の粉体。
【請求項１１】
前記一時添加剤が有機添加剤であり、前記有機添加剤の含有率が１％未満であり、バインダーおよび有機添加剤の合計含有率が５％未満であり、前記有機添加剤が、分散剤または界面活性剤、増粘剤、消泡剤、防腐剤、滑剤、およびそれらの混合物から選択される、請求項１〜１０のいずれか一項に記載の粉体。
【請求項１２】
−  中央粒径Ｄ５０が９０μｍ超かつ１２０μｍ未満であり；および／または
−  １０パーセンタイル値Ｄ１０が４０μｍ超であり；および／または
−  ９０パーセンタイル値Ｄ９０が３００μｍ未満であり；および／または
−  ９９．５パーセンタイル値Ｄ９９．５が４００μｍ未満である、
請求項１〜１１のいずれか一項に記載の粉体。
【請求項１３】
残留含水率が、湿潤粉体を基準として重量百分率として、０．２％〜１％である、請求項１〜１２のいずれか一項に記載の粉体。
【請求項１４】
前記ジルコニア、前記アルミナ、前記第１バインダー、前記追加のバインダーおよび前記一時バインダーが、前記粉体の前記顆粒中に均一に分配されている、請求項１〜１３のいずれか一項に記載の粉体。
【請求項１５】
前記顆粒の８０％超が前記化学組成を有する、請求項１〜１４のいずれか一項に記載の粉体。
【請求項１６】
焼結部品の製造方法であって、次の工程：
Ａ）請求項１〜１５のいずれか一項に記載の顆粒を含む粉体を含む出発装入物を形成するために原材料を混合する工程であって、前記顆粒を含む粉体が前記出発装入物の重量の少なくとも６０％を占める工程と、
Ｂ）前記出発装入物からプリフォームを形成する工程と、
Ｃ）任意選択的に、前記プリフォームを機械加工する工程と、
Ｄ）前記焼結部品を得るように前記プリフォームを焼結する工程と、
Ｅ）任意選択的に、前記焼結部品を機械加工するおよび／または修正する工程と
を含む方法。